(57)【要約】      （修正有）【課題】ブラシの寿命と生産性を向上した遮断ブラシの製造方法を提供すること。【解決手段】モータの整流子に電力を供給するブラシ本体２が摩耗限度に達したときに、そのブラシ本体２に内蔵された絶縁性を有するピン６をスプリング７の弾発力によって該整流子に向かって飛び出させて電流を遮断させるように設けられた遮断ブラシ１において、ブラシ本体２の一端部に形成された所定深さの穴３に前記ピン６を挿入すると共に当該ピン６の後部に装着されたスプリング７の上に、複数の鋸歯状突起が外周縁に突設され、かつ、それらの突起が内方に所定角度折り曲げられてなる金属製蓋片を被せ、ついで、その蓋片を押圧することによりスプリング７を圧縮した状態とすると共に突起の先端部を穴３の内面に食い込ませて当該蓋片の固定を施すようにした。【選択図】図１
2009072037.tif 000002
【特許請求の範囲】
【請求項１】
モータの整流子に電力を供給するブラシ本体が摩耗限度に達したときに、そのブラシ本体に内蔵された絶縁性を有するピンをスプリングの弾発力によって該整流子に向かって飛び出させて電流を遮断させるように設けられた遮断ブラシにおいて、
前記ブラシ本体の一端部に形成された所定深さの穴に前記ピンを挿入すると共に当該ピンの後部に装着されたスプリングの上に、複数の鋸歯状突起が外周縁に突設され、かつ、それらの突起が内方に所定角度折り曲げられてなる金属製蓋片を被せ、ついで、その蓋片を押圧することにより前記スプリングを圧縮した状態とすると共に前記突起の先端部を前記穴の内面に食い込ませて当該蓋片の固定を施すようにしたことを特徴とする遮断ブラシの製造方法。
【請求項２】
前記スプリングの上に前記穴の内径とほぼ同径寸法の円形板を入れてから前記金属製蓋片を被せるようにしたことを特徴とする請求項１に記載の遮断ブラシの製造方法。
【発明の詳細な説明】
【技術分野】
【０００１】
本発明は、モータに使用される遮断ブラシの製造方法に関するものである。
【背景技術】
【０００２】
モータの整流子に電力を供給するブラシ本体が摩耗限度に達したときに、電流を遮断してモータを停止させる機能を備えた遮断ブラシは、いろいろ提案されている。図５には、従来の遮断ブラシａの一例を示す。その遮断ブラシの製造方法を図６に基づいて説明するに、ブラシ本体ｂの頭部に形成された穴ｃにプラスチック製ピンｄとスプリングｅを挿入し、そのスプリングｅの上に円形状の厚紙ｆを被せてから工具で押圧して同スプリングを圧縮した状態とし、ついで、その厚紙ｆの上に充填した銅粉ｇを工具で叩いて銅粉ｇを固める（銅粉止め）という作業を数回繰り返すことによりスプリングｅが圧縮状態に保持される。そして、銅粉止めを施した箇所の上には、接着剤ｈを塗布して補強が施されている。ｊはブラシ本体ｂに設けられたリード線である。
【０００３】
また、特許文献１には、ブラシ本体の頭部に形成されたネジ穴に遮断ピースとスプリングを挿入してから受皿を螺着することによりスプリングを圧縮した状態とし、その受皿の上にリード線を銅粉により固定した構造が開示されている。
【０００４】
前者の製造方法では、ピンｃを挿入してスプリングｄを圧縮状態に保持するために２ｍｍ以上の高さに銅粉を充填する必要があり、それ以下の高さの場合には圧縮されたスプリングが元の長さに戻ってしまうとか、銅粉を押し出して外へ飛び出すという不都合を生ずる。
【０００５】
特許文献１に開示された遮断ブラシにおいては、ブラシ本体のネジ穴に受皿を螺合して挿入されたスプリングを圧縮状態にセットする作業は、各部品が小形であることもあって煩雑であると言えよう。
【特許文献１】実開昭６１−４３７７１号公報
【発明の開示】
【発明が解決しようとする課題】
【０００６】
本発明の目的は、ブラシの寿命と生産性を向上した遮断ブラシの製造方法を提供することにある。
【課題を解決するための手段】
【０００７】
前記目的を達成するために請求項１に記載した発明は、モータの整流子に電力を供給するブラシ本体が摩耗限度に達したときに、そのブラシ本体に内蔵された絶縁性を有するピンをスプリングの弾発力によって該整流子に向かって飛び出させて電流を遮断させるように設けられた遮断ブラシにおいて、前記ブラシ本体の一端部に形成された所定深さの穴に前記ピンを挿入すると共に当該ピンの後部に装着されたスプリングの上に、複数の鋸歯状突起が外周縁に突設され、かつ、それらの突起が内方に所定角度折り曲げられてなる金属製蓋片を被せ、ついで、その蓋片を押圧することにより前記スプリングを圧縮した状態とすると共に前記突起の先端部を前記穴の内面に食い込ませて当該蓋片の固定を施すようにしたことを特徴とする。
【０００８】
同様の目的を達成するために請求項２に記載した発明は、請求項１に記載の遮断ブラシの製造方法において、前記スプリングの上に前記穴の内径とほぼ同径寸法の円形板を入れてから前記金属製蓋片を被せるようにしたことを特徴とするものである。
【発明の効果】
【０００９】
（請求項１の発明）
この遮断ブラシの製造方法によれば、ピンと同ピンを外へ飛び出す方向に付勢するスプリングを金属製蓋片によってブラシ本体の内部に保持できるので、従来の製造方法で採用されていた銅粉止めが不要になるため生産工程が簡略されて生産性が向上し、ピンとスプリングを収める穴の深さが１．０〜１．５ｍｍ程度浅くできることからブラシ本体の有効摩耗量が増加しブラシの寿命が長くなる。
【００１０】
（請求項２の発明）
この遮断ブラシの製造方法によれば、スプリングの上にブラシ本体の穴の内径とほぼ同径寸法の円形板を入れてから金属製蓋片を被せるようにしているので、金属製蓋片の固定作業を円滑に行なうことができる。
【発明を実施するための最良の形態】
【００１１】
以下に、本発明を適用した最良の形態例を図面に基づいて説明する。図１は本発明製造方法に係る遮断ブラシの正面図、図２は本発明製造方法に係る遮断ブラシの製造工程を示す説明図、図３は金属製蓋片の平面図（イ）及び正面図（ロ）、図４は金属製蓋片の突起が穴の内面に食い込んだ状態を説明する模式図である。
【００１２】
本発明に係る遮断ブラシの製造方法を適用した遮断ブラシ１を図１に示す。以下に、この遮断ブラシ１の構成と製造工程を併せて説明する。図において、遮断ブラシ１のカーボン製ブラシ本体２の一端部２ａには、所定深さ、この実施例では深さ６ｍｍで直径２．５ｍｍの穴３が形成されている。その穴３の近くに形成される穴（図示せず）には、公知のリード線５の一端部を収めて銅粉止めを施すことにより同リード線５が固定されている。
【００１３】
上記穴３には、図２（イ）に示すように、絶縁性を有するプラスチック製ピン６と当該ピン６の頭部６ａよりも細く形成された後部６ｂに装着されたスプリング７を一緒に挿入する。ついで、スプリング７の上に金属製、この実施例では銅製の蓋片８を被せる。
【００１４】
図３に示すように、銅製の蓋片８は、厚さ０．３ｍｍで直径約２．４ｍｍのほぼ円盤形状とされていて、平坦な中央部９の外周縁に複数の、この実施例では左右端縁９ａに各々３個の鋸歯状突起１０を突設し、かつ、それらの突起１０を内方に所定角度、ここでは４５度だけ折り曲げた形態とされている。
【００１５】
上述のようにスプリング７の上に蓋片８を被せた後、図２（ロ）及び（ハ）に示すように、蓋片８を図示しない金属棒等で押圧することによりスプリング７を圧縮した状態とし、かつ、鋸歯状突起１０の先端部を穴３の内面に食い込ませることによって当該蓋片８の固定を施す（図４）。
【００１６】
そして、蓋片８の上に接着剤１２を塗布して補強を施すことにより本発明製造方法に係る遮断ブラシ１が構成される。この遮断ブラシ１では、従来の製造方法に比べてピン６を挿入する穴３の深さを１．０〜１．５ｍｍ程度浅くすることができるので、仮に１ｍｍ浅くなると有効摩耗量が１ｍｍ増加して約１５％寿命が長くなる利点を有する。
【００１７】
なお、この実施例ではスプリング７の上に直接金属製蓋片８を被せているが（請求項１の発明）、スプリングの上に穴の内径とほぼ同径寸法の厚紙等の円形板を入れてから金属製蓋片を被せるようにした構成とすることもできる（請求項２の発明）。
【００１８】
また、金属製蓋片８を押圧して鋸歯状突起１０を穴３の内面に食い込ませる際の荷重については、スプリング７の圧縮荷重より大きいことを要するが、小さい場合にはスプリング７が圧縮される前に金属製蓋片８の突起１０が開きだして保持力の低下や遮断時におけるピン６の飛び出す勢いが弱くなる等の不都合を生ずる。金属製蓋片８の突起１０が開く際の荷重については、材質、厚さ等により異なるが、スプリング７の圧縮荷重に応じて適切なものを選定することが重要である。
【００１９】
（実験）
本発明方法にかかる遮断ブラシ１において、金属製蓋片８による保持力（保持強度）について実験を行なった。その結果を表１に示す。
【００２０】
【表１】
2009072037.tif 000003
【００２１】
実験の結果によれば、保持力は平均値で５７．８１Ｎであった。因みに、従来のスプリングの上に厚紙を被せて銅粉止めを施す遮断ブラシの場合における保持力は、平均値で６０Ｎ（ただし、規格値は３０Ｎ以上）ある。従って、本発明方法に係る遮断ブラシ１の保持力は、従来方法による遮断ブラシの保持力とほぼ同等であることが確認された。
【００２２】
以上に述べた通り、この遮断ブラシの製造方法によれば、従来の製造方法で採用されていた銅粉止めが不要になるため生産工程が簡略されて生産性が向上し、ピンとスプリングを収める穴の深さが１．０〜１．５ｍｍ程度浅くできることからブラシ本体の有効摩耗量が増加しブラシの寿命が延びる利点がある。
【図面の簡単な説明】
【００２３】
【図１】本発明製造方法に係る遮断ブラシの正面図
【図２】本発明製造方法に係る遮断ブラシの製造工程を示す説明図
【図３】金属製蓋片の平面図（イ）及び正面図（ロ）
【図４】金属製蓋片の突起が穴の内面に食い込んだ状態を説明する模式図
【図５】従来の製造方法に係る遮断ブラシの正面図
【図６】従来の製造方法に係る遮断ブラシの製造工程を示す説明図
【符号の説明】
【００２４】
１・・・本発明製造方法に係る遮断ブラシ
２・・・ブラシ本体
２ａ・・・一端部
３・・・穴
６・・・ピン
７・・・スプリング
８・・・金属製蓋片
１０・・・鋸歯状突起
【図１】
2009072037.tif 000004
【図２】
2009072037.tif 000005
【図３】
2009072037.tif 000006
【図４】
2009072037.tif 000007
【図５】
2009072037.tif 000008
【図６】
2009072037.tif 000009
【手続補正書】
【提出日】平成20年10月27日(2008.10.27)
【手続補正１】
【補正対象書類名】図面
【補正対象項目名】図１
【補正方法】変更
【補正の内容】
【図１】
2009072037.tif 000010